【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
ポリエチレン樹脂中にセルロース繊維とアルミニウムとを分散してなり、前記ポリエチレン樹脂と前記セルロース繊維の総含有量１００質量部中、前記セルロース繊維の割合が１質量部以上７０質量部以下であり、下記の［式Ａ］により求めた吸水率と［式Ｂ］により求めたセルロース有効質量比の関係が［式Ｃ］を満たす、セルロース・アルミニウム分散ポリエチレン樹脂複合材であって、
前記吸水率は、乾燥処理を行ったセルロース・アルミニウム分散ポリエチレン樹脂複合材のシート状試験片を、２３℃の水に２０日間浸漬し、浸漬前後の質量の測定値に基づいて[式Ａ]により算出し、
前記セルロース有効質量比は、セルロース・アルミニウム分散ポリエチレン樹脂複合材の熱重量分析（ＴＧＡ）による、２７０〜３９０℃の範囲の質量減少と該複合材の測定前の質量を用いて[式Ｂ]により算出したものである、セルロース・アルミニウム分散ポリエチレン樹脂複合材。
[式Ａ]    （吸水率[％]）＝
（浸漬後質量[ｇ]―浸漬前質量[ｇ]）×１００／（浸漬前質量[ｇ]）
[式Ｂ]（セルロース有効質量比[％]）＝
（２７０〜３９０℃の質量減少[ｍｇ]）×１００／（複合材質量[ｍｇ]）
［式Ｃ］  （吸水率［％］）＜（セルロース有効質量比［％］）２×０．０１
【請求項２】
前記ポリエチレン樹脂と前記セルロース繊維の総含有量１００質量部中、前記セルロース繊維の割合が５質量部以上５０質量部未満である、請求項１に記載のセルロース・アルミニウム分散ポリエチレン樹脂複合材。
【請求項３】
前記ポリエチレン樹脂と前記セルロース繊維の総含有量１００質量部中、前記セルロース繊維の割合が２５質量部以上５０質量部未満である、請求項１に記載のセルロース・アルミニウム分散ポリエチレン樹脂複合材。
【請求項４】
前記ポリエチレン樹脂と前記セルロース繊維の総含有量１００質量部中、前記セルロース繊維の割合が２５質量部以上５０質量部未満であり、前記複合材を成形したときの成形体の引張強度が２０ＭＰａ以上である、請求項１に記載のセルロース・アルミニウム分散ポリエチレン樹脂複合材。
【請求項５】
前記ポリエチレン樹脂と前記セルロース繊維の総含有量１００質量部中、前記セルロース繊維の割合が２５質量部以上５０質量部未満であり、前記複合材を成形したときの成形体の引張強度が２５ＭＰａ以上である、請求項１に記載のセルロース・アルミニウム分散ポリエチレン樹脂複合材。
【請求項６】
前記ポリエチレン樹脂と前記セルロース繊維の総含有量１００質量部中、前記セルロース繊維の割合が１質量部以上１５質量部未満であり、前記複合材を成形したときの成形体の曲げ強度が８〜２０ＭＰａである、請求項１に記載のセルロース・アルミニウム分散ポリエチレン樹脂複合材。
【請求項７】
前記ポリエチレン樹脂と前記セルロース繊維の総含有量１００質量部中、前記セルロース繊維の割合が１５質量部以上５０質量部未満であり、前記複合材を成形したときの成形体の曲げ強度が１５〜４０ＭＰａである、請求項１に記載のセルロース・アルミニウム分散ポリエチレン樹脂複合材。
【請求項８】
前記ポリエチレン樹脂と前記セルロース繊維の総含有量１００質量部に対し、前記アルミニウムの含有量が１質量部以上４０質量部以下である、請求項１〜７のいずれか１項に記載のセルロース・アルミニウム分散ポリエチレン樹脂複合材。
【請求項９】
前記ポリエチレン樹脂と前記セルロース繊維の総含有量１００質量部に対し、前記アルミニウムの含有量が５質量部以上３０質量部以下である、請求項１〜８のいずれか１項に記載のセルロース・アルミニウム分散ポリエチレン樹脂複合材。
【請求項１０】
前記ポリエチレン樹脂が、ゲル・パーミエーション・クロマトグラフィー（ＧＰＣ）測定で得られる分子量パターンにおいて１．７＞半値幅（Ｌｏｇ（ＭＨ／ＭＬ））＞１．０の関係を満たす、請求項１〜９のいずれか１項に記載のセルロース・アルミニウム分散ポリエチレン樹脂複合材。
【請求項１１】
繊維長１ｍｍ以上のセルロース繊維を含有する、請求項１〜１０のいずれか１項に記載のセルロース・アルミニウム分散ポリエチレン樹脂複合材。
【請求項１２】
Ｘ−Ｙ最大長が０．００５ｍｍ以上のアルミニウムの数に占めるＸ−Ｙ最大長が１ｍｍ以上のアルミニウムの数の割合が１％未満である、請求項１〜１１のいずれか１項に記載のセルロース・アルミニウム分散ポリエチレン樹脂複合材。
【請求項１３】
前記ポリエチレン樹脂の５０質量％以上が低密度ポリエチレンである、請求項１〜１２のいずれか１項に記載のセルロース・アルミニウム分散ポリエチレン樹脂複合材。
【請求項１４】
前記ポリエチレン樹脂の８０質量％以上が低密度ポリエチレンである、請求項１〜１３のいずれか１項に記載のセルロース・アルミニウム分散ポリエチレン樹脂複合材。
【請求項１５】
前記複合材がポリプロピレンを含有し、前記ポリエチレン樹脂と前記セルロース繊維の総含有量１００質量部に対し、前記ポリプロピレンの含有量が２０質量部以下である、請求項１〜１４のいずれか１項に記載のセルロース・アルミニウム分散ポリエチレン樹脂複合材。
【請求項１６】
前記複合材の、１３８℃の熱キシレン溶解質量比をＧａ（％）、１０５℃の熱キシレンへ溶解質量比をＧｂ（％）、セルロース有効質量比をＧｃ（％）としたとき、下記式を満たす、請求項１〜１５いずれか１項に記載のセルロース・アルミニウム分散ポリエチレン樹脂複合材。
｛（Ｇａ−Ｇｂ）／（Ｇｂ＋Ｇｃ）｝×１００≦２０
ここで、
Ｇａ＝｛（Ｗ０−Ｗａ）／Ｗ０｝×１００
Ｇｂ＝｛（Ｗ０−Ｗｂ）／Ｗ０｝×１００
Ｗ０：熱キシレンに浸漬する前の複合材の質量
Ｗａ：１３８℃の熱キシレンに浸漬後、キシレンを乾燥除去した後の複合材の質量
Ｗｂ：１０５℃の熱キシレンに浸漬後、キシレンを乾燥除去した後の複合材の質量
Ｇｃ＝｛Ｗｃ／Ｗ００｝×１００
Ｗｃ：窒素雰囲気中で２７０℃〜３９０℃に昇温する間の、乾燥複合材の質量減少量
Ｗ００：昇温前（２３℃）の乾燥複合材の質量
である。
【請求項１７】
前記複合材がポリエチレンテレフタレート及び／又はナイロンを含有し、前記ポリエチレン樹脂と前記セルロース繊維の総含有量１００質量部に対し、前記ポリエチレンテレフタレート及び／又はナイロンの総含有量が１０質量部以下である、請求項１〜１６のいずれか１項に記載のセルロース・アルミニウム分散ポリエチレン樹脂複合材。
【請求項１８】
前記ポリエチレン樹脂及び／又は前記ポリプロピレンの少なくとも一部が再生材に由来する、請求項１５に記載のセルロース・アルミニウム分散ポリエチレン樹脂複合材。
【請求項１９】
前記複合材が無機質材を含有し、前記ポリエチレン樹脂１００質量部に対し、前記無機質材の含有量が１質量部以上１００質量部以下である、請求項１〜１８のいずれか１項に記載のセルロース・アルミニウム分散ポリエチレン樹脂複合材。
【請求項２０】
温度２３０℃、荷重５ｋｇｆにおけるメルトフローレート（ＭＦＲ）が、０．０５〜５０．０ｇ／１０ｍｉｎである、請求項１〜１９のいずれか１項に記載のセルロース・アルミニウム分散ポリエチレン樹脂複合材。
【請求項２１】
前記複合材が、２３℃の水に２０日間浸漬した後の吸水率が０．１〜１０％であり、かつ耐衝撃性が、２３℃の水に２０日間浸漬する前よりも浸漬した後の方が高い、請求項１〜２０のいずれか１項に記載のセルロース・アルミニウム分散ポリエチレン樹脂複合材。
【請求項２２】
線膨張係数が１×１０−４以下である、請求項１〜２１のいずれか１項に記載のセルロース・アルミニウム分散ポリエチレン樹脂複合材。
【請求項２３】
前記線膨張係数が８×１０−５以下である、請求項２２に記載のセルロース・アルミニウム分散ポリエチレン樹脂複合材。
【請求項２４】
含水率が１質量％未満である、請求項１〜２３のいずれか１項に記載のセルロース・アルミニウム分散ポリエチレン樹脂複合材。
【請求項２５】
請求項１〜２４のいずれか１項に記載のセルロース・アルミニウム分散ポリエチレン樹脂複合材からなるペレット。
【請求項２６】
請求項１〜２４のいずれか１項に記載のセルロース・アルミニウム分散ポリエチレン樹脂複合材を用いた成形体。
【請求項２７】
少なくともセルロース・アルミニウム付着ポリエチレン薄膜片を、水の存在下で溶融混練し、ポリエチレン樹脂中にセルロース繊維とアルミニウムとを分散してなるセルロース・アルミニウム分散ポリエチレン樹脂複合材を得ることを含み、
前記セルロース・アルミニウム付着ポリエチレン薄膜片が、
（ａ）紙、ポリエチレン薄膜層及びアルミニウム薄膜層を有するポリエチレンラミネート加工紙、及び／又は
（ｂ）前記ポリエチレンラミネート加工紙からなる飲料・食品パック
から得られるものである、セルロース・アルミニウム分散ポリエチレン樹脂複合材の製造方法。
【請求項２８】
紙、ポリエチレン薄膜層及びアルミニウム薄膜層を有するポリエチレンラミネート加工紙及び／又は前記ポリエチレンラミネート加工紙からなる飲料・食品パックを、水中で撹拌することにより前記紙の一部が取り除かれたセルロース・アルミニウム付着ポリエチレン薄膜片を得、該セルロース・アルミニウム付着ポリエチレン薄膜片と水とを、ポリエチレンが溶融しセルロース繊維が変質しない温度で溶融混練し、ポリエチレン樹脂中にセルロース繊維とアルミニウムとを分散してなるセルロース・アルミニウム分散ポリエチレン樹脂複合材を得ることを含む、セルロース・アルミニウム分散ポリエチレン樹脂複合材の製造方法。
【請求項２９】
前記溶融混練がバッチ式混練装置を用いて行われ、前記セルロース・アルミニウム付着ポリエチレン薄膜片と、水とを該バッチ式混練装置に投入して、該装置の回転軸に突設された撹拌羽根を回転させて撹拌し、この撹拌により装置内の温度を高めて溶融混練を行う、請求項２７又は２８に記載のセルロース・アルミニウム分散ポリエチレン樹脂複合材の製造方法。
【請求項３０】
前記溶融混練を、前記撹拌羽根の先端の周速を２０〜５０ｍ／秒として行う、請求項２９に記載のセルロース・アルミニウム分散ポリエチレン樹脂複合材の製造方法。
【請求項３１】
前記複合材が、前記ポリエチレン樹脂と前記セルロース繊維の総含有量１００質量部中の前記セルロース繊維の割合が１質量部以上７０質量部以下であり、前記ポリエチレン樹脂と前記セルロース繊維の総含有量１００質量部に対して前記アルミニウムの含有量が１質量部以上４０質量部以下である、請求項２７〜３０のいずれか１項に記載のセルロース・アルミニウム分散ポリエチレン樹脂複合材の製造方法。
【請求項３２】
水を含んだ状態の前記薄膜片を減容処理し、この減容処理物を溶融混練することにより、ポリエチレン樹脂中にセルロース繊維とアルミニウムとを分散してなるセルロース・アルミニウム分散ポリエチレン樹脂複合材を得る、請求項２７〜３１のいずれか１項に記載のセルロース・アルミニウム分散ポリエチレン樹脂複合材の製造方法。
【請求項３３】
水を含んだ状態の前記薄膜片を粉砕し、この粉砕物を溶融混練することにより、ポリエチレン樹脂中にセルロース繊維とアルミニウムとを分散してなるセルロース・アルミニウム分散ポリエチレン樹脂複合材を得る、請求項２７〜３２のいずれか１項に記載のセルロース・アルミニウム分散ポリエチレン樹脂複合材の製造方法。
【請求項３４】
前記溶融混練を、前記薄膜片１００質量部に対して水を５質量部以上１５０質量部未満として行う、請求項２７〜３３のいずれか１項に記載のセルロース・アルミニウム分散ポリエチレン樹脂複合材の製造方法。
【請求項３５】
前記溶融混練を、セルロース材を混合して行う、請求項２７〜３４のいずれか１項に記載のセルロース・アルミニウム分散ポリエチレン樹脂複合材の製造方法。
【請求項３６】
前記セルロース材として、ペーパースラッジを用いる、請求項３５に記載のセルロース・アルミニウム分散ポリエチレン樹脂複合材の製造方法。
【請求項３７】
前記セルロース材として、吸水した状態のセルロース材を用いる、請求項３５又は３６に記載のセルロース・アルミニウム分散ポリエチレン樹脂複合材の製造方法。
【請求項３８】
前記溶融混練を、低密度ポリエチレン及び／又は高密度ポリエチレンを混合して行う、請求項２７〜３７のいずれか１項に記載のセルロース・アルミニウム分散ポリエチレン樹脂複合材の製造方法。
【請求項３９】
前記複合材を構成するポリエチレン樹脂の５０質量％以上が低密度ポリエチレンである、請求項２７〜３８のいずれか１項に記載のセルロース・アルミニウム分散ポリエチレン樹脂複合材の製造方法。
【請求項４０】
前記複合材を構成するポリエチレン樹脂の８０質量％以上が低密度ポリエチレンである、請求項２７〜３９のいずれか１項に記載のセルロース・アルミニウム分散ポリエチレン樹脂複合材の製造方法。
【請求項４１】
前記複合材中、前記ポリエチレン樹脂と前記セルロース繊維の総含有量１００質量部に対するポリプロピレンの含有量が２０質量部以下である、請求項２７〜４０のいずれか１項に記載のセルロース・アルミニウム分散ポリエチレン樹脂複合材の製造方法。
【請求項４２】
前記複合材中、前記ポリエチレン樹脂と前記セルロース繊維の総含有量１００質量部に対するポリエチレンテレフタレート及び／又はナイロンの総含有量が１０質量部以下である、請求項２７〜４１のいずれか１項に記載のセルロース・アルミニウム分散ポリエチレン樹脂複合材の製造方法。
【請求項４３】
前記複合材中、Ｘ−Ｙ最大長が０．００５ｍｍ以上のアルミニウムの数に占めるＸ−Ｙ最大長が１ｍｍ以上のアルミニウムの数が１％未満である、請求項２７〜４２のいずれか１項に記載のセルロース・アルミニウム分散ポリエチレン樹脂複合材の製造方法。
【請求項４４】
請求項２７〜４３のいずれか１項に記載のセルロース・アルミニウム分散ポリエチレン樹脂複合材の製造方法を実施することを含む、紙、ポリエチレン薄膜層及びアルミニウム薄膜層を有するポリエチレンラミネート加工紙からなる飲料パック及び／又は食品パックのリサイクル方法。
【請求項４５】
請求項１〜２４のいずれか１項に記載のセルロース・アルミニウム分散ポリエチレン樹脂複合材又は請求項２５に記載のペレットと、高密度ポリエチレン及び／又はポリプロピレンとを混合し、該混合物を成形して成形体を得ることを含む、成形体の製造方法。